(57)【要約】【課題】  ダブルトーショナルダンパの抑止線が重錘の落下防止機構を有し、抑止線が破断して重錘が落下することが無く、且つ、破断が発見し易いダブルトーショナルダンパを提供する。【解決手段】  抑止線１０は、同じ外径を有する心線と複数の外周線とから成り、心線の周りに複数の外周線が撚り合わされて構成され、心線又は複数の外周線のうちの一本が、他の線に比べ疲労限が高い。【選択図】      図１
2012005203.tif 000002
【特許請求の範囲】
【請求項１】
抑止線と前記抑止線の両端に固着された重錘と前記抑止線の中央部に固着された電線把持クランプからなるダブルトーショナルダンパにおいて、
前記抑止線は、同じ外径を有する心線と複数の外周線とから成り、前記心線の周りに前記複数の外周線が撚り合わされて構成され、
前記心線又は前記複数の外周線のうちの一本が、他の線に比べ疲労限が高いことを特徴とするダブルトーショナルダンパ。
【請求項２】
前記心線又は前記複数の外周線のうちの一本が、複合撚線から成ることを特徴とする請求項１に記載のダブルトーショナルダンパ。
【請求項３】
前記心線を成す前記複合撚線は、前記複数の外周線に対し心線部で弛みを有し、前記複数の外周線のうちの一本である複合撚線は、他の前記複数の外周線に対し弛みを有することを特徴とする請求項１又は２のいずれかに記載のダブルトーショナルダンパ。
【請求項４】
抑止線と前記抑止線の両端に固着された重錘と前記抑止線の中央部に固着された電線把持クランプからなるダブルトーショナルダンパにおいて、
前記抑止線は、同じ外径を有する心線と複数の外周線とを有し、前記心線と、当該心線の周りの前記複数の外周線とで形成される各空間には、前記心線及び前記複数の外周線に比べ疲労限が高い細線を有し、
前記心線の周りに、前記複数の外周線と前記複数の細線とが撚り合わされて構成されることを特徴とするダブルトーショナルダンパ。
【請求項５】
前記疲労限が高い材質の細線は、一本の細線として連続していることを特徴とする請求項３に記載のダブルトーショナルダンパ。
【請求項６】
抑止線と前記抑止線の両端に固着された重錘と前記抑止線の中央部に固着された電線把持クランプからなるダブルトーショナルダンパにおいて、
前記抑止線は、同じ外径を有する心線と複数の外周線とを有し、前記心線には前記心線及び前記複数の外周線に比べ疲労限が高い細線が所定のピッチで巻かれ、
前記所定のピッチは、前記心線の周りに前記複数の外周線が撚り合わされる巻線ピッチより小さいピッチで巻かれることを特徴とするダブルトーショナルダンパ。
【請求項７】
抑止線と前記抑止線の両端に固着された重錘と前記抑止線の中央部に固着された電線把持クランプからなるダブルトーショナルダンパにおいて、
前記抑止線は、パイプ１７と、前記パイプに挿入されるパイプ内挿入線とから構成される心線の周りに、複数の外周線が巻かれて構成されることを特徴とするダブルトーショナルダンパ。
【請求項８】
抑止線と前記抑止線の両端に固着された重錘と前記抑止線の中央部に固着された電線把持クランプからなるダブルトーショナルダンパにおいて、
前記抑止線は、心線の周りに、複数の外周線が巻かれ、前記複数の外周線が互いに成す各間隙に、疲労限の低い細線が同様に巻かれて構成されることを特徴とするダブルトーショナルダンパ。
【発明の詳細な説明】
【技術分野】
【０００１】
本発明は、架空電線の振動防止装置に係り、より詳しくは、ダブルトーショナルダンパの抑止線が重錘の落下防止機構を有するダブルトーショナルダンパに関する。
【背景技術】
【０００２】
架空電線に風が吹き付けることにより、電線の風下側には交播渦流であるカルマン渦が発生し、振幅が１〜数十ミリメートルの振動が生じる。この振動は、架空電線の固定点となる懸垂支持点や耐張クランプなどの振動の反射点で電線に繰返し応力を与え、架空電線に経時的な金属疲労劣化や破断をもたらす。これを防止するため、架空電線の支持点の近傍には振動防止装置が取付けられる。
【０００３】
図１は、振動防止装置であるダブルトーショナルダンパの構成を示すダンパ構成図である。図１において、ダブルトーショナルダンパ１１０は、抑止線１０、重錘２０、及び電線把持用クランプ３０を有する。重錘２０は、抑止線１０に固着される固着部２５を具備し、抑止線１０の両端に固着されている。電線把持用クランプ３０は、架空電線４０を把持するクランプ部３５と、抑止線１０に固着される抑止線圧縮穴３７とを具備し、抑止線１０の中央部において抑止線圧縮穴３７が圧縮され、抑止線１０と固着し、クランプ部３５により架空電線４０に取付け設置されている。
【０００４】
図１のダブルトーショナルダンパ１１０において、風により生じたカルマン渦の振動が、クランプ部３５を介して抑止線１０及び両端の重錘２０に伝わる。これにより、抑止線１０には、新たな振動が発生する。この新たな振動は、カルマン渦による振動とは位相や周期が異なり、カルマン渦による振動を打ち消すように作用し、架空電線４０の経時的な疲労劣化や破断を防止している。
【０００５】
図１１は、従来の抑止線の構成を示す構成図である。図１１において、従来の抑止線５０は、同一の心線５１と複数の外周線５２とから成り、複数の外周線５２が心線５１の周囲に撚り合わされて形成されている。従来この抑止線５０が、図１における抑止線１０として用いられていた。ところが、カルマン渦による振動を打ち消すように作用する新たな振動が長期間に渡り繰り返し抑止線５０に発生すると、抑止線５０の同一の心線５１と複数の外周線５２とが互いに摩擦し合うことにより金属疲労劣化を生じて破断し、重錘２０が落下するという事故が発生していた。
【０００６】
特許文献１には、クランプ本体のキャップに取付けた落下防止板の左右に設けた挿通穴に所定の長さのワイヤーロープを挿通して折り返し、重錘が２次共振したときの振動の節近傍にアリ溝スリーブによりワイヤーロープの端部を重錘に一括して圧縮固定し、ワイヤーロープは抑止線が共振して過大に振れた場合でもワイヤーロープに張力が作用しないように、少なくとも抑止線の長さより１０〜２０％以上の長さとする、旨の記載がある。
【先行技術文献】
【特許文献】
【０００７】
【特許文献１】特願２００６−２３０１７２号公報
【発明の概要】
【発明が解決しようとする課題】
【０００８】
本発明は、このような問題を解決するためになされたものであり、その目的は、ダブルトーショナルダンパの抑止線が重錘の落下防止機構を有し、抑止線が破断して重錘が落下することが無く、且つ、破断が発見し易いダブルトーショナルダンパを提供する。
【課題を解決するための手段】
【０００９】
本発明のダブルトーショナルダンパは、抑止線と抑止線の両端に固着された重錘と抑止線の中央部に固着された電線把持クランプからなるダブルトーショナルダンパにおいて、抑止線は、同じ外径を有する心線と複数の外周線とから成り、心線の周りに複数の外周線が撚り合わされて構成され、心線又は前記複数の外周線のうちの一本が、他の線に比べ疲労限が高いことを特徴とする。
【００１０】
本発明のダブルトーショナルダンパは、心線又は複数の外周線のうちの一本が、複合撚線から成ることを特徴とする。
【００１１】
本発明のダブルトーショナルダンパの心線を成す複合撚線は、複数の外周線に対し心線部で弛みを有し、複数の外周線のうちの一本である複合撚線は、他の複数の外周線に対し弛みを有することを特徴とする。
【００１２】
本発明のダブルトーショナルダンパは、抑止線と抑止線の両端に固着された重錘と抑止線の中央部に固着された電線把持クランプからなるダブルトーショナルダンパにおいて、抑止線は、同じ外径を有する心線と複数の外周線とを有し、心線と、当該心線の周りの複数の外周線とで形成される各空間には、心線及び複数の外周線に比べ疲労限が高い細線を有し、心線の周りに、複数の外周線と前記複数の細線とが撚り合わされて構成されることを特徴とする。
【００１３】
本発明のダブルトーショナルダンパの疲労限が高い材質の細線は、一本の細線として連続していることを特徴とする。
【００１４】
本発明のダブルトーショナルダンパは、抑止線と抑止線の両端に固着された重錘と抑止線の中央部に固着された電線把持クランプからなるダブルトーショナルダンパにおいて、抑止線は、同じ外径を有する心線と複数の外周線とを有し、心線には心線及び複数の外周線に比べ疲労限が高い細線が所定のピッチで巻かれ、所定のピッチは、心線の周りに複数の外周線が撚り合わされる巻線ピッチより小さいピッチで巻かれることを特徴とする。
【００１５】
本発明のダブルトーショナルダンパは、抑止線と抑止線の両端に固着された重錘と抑止線の中央部に固着された電線把持クランプからなるダブルトーショナルダンパにおいて、抑止線は、パイプと、パイプに挿入されるパイプ内挿入線とから構成される心線の周りに、複数の外周線が巻かれて構成されることを特徴とする。
【００１６】
本発明のダブルトーショナルダンパは、抑止線と抑止線の両端に固着された重錘と抑止線の中央部に固着された電線把持クランプからなるダブルトーショナルダンパにおいて、抑止線は、心線の周りに、複数の外周線が巻かれ、複数の外周線が互いに成す各間隙に、疲労限の低い細線が同様に巻かれて構成されることを特徴とする。
【発明の効果】
【００１７】
本発明によれば、ダブルトーショナルダンパの抑止線が重錘の落下を防止する機構を有するため、抑止線の破断による重錘の落下を防止すると共に、定期点検時に抑止線の異常を容易に発見して交換可能となる、ダブルトーショナルダンパを提供することができる。
【図面の簡単な説明】
【００１８】
【図１】ダブルトーショナルダンパの構成を示すダンパ構成図。
【図２】本発明による第１の実施例を示す抑止線の構成を示す構成図。
【図３】本発明による第２の実施例を示す抑止線の構成を示す構成図。
【図４】本発明による第３の実施例を示す抑止線の構成を示す構成図。
【図５】本発明による第４の実施例を示す抑止線の構成を示す構成図。
【図６】本発明による第５の実施例を示す抑止線の構成を示す構成図。
【図７】本発明による第６の実施例を示す抑止線の構成を示す構成図。
【図８】本発明による第７の実施例を示す抑止線の構成を示す構成図。
【図９】本発明による抑止線の破断検出例を示す第１の検出図。
【図１０】本発明による抑止線の破断検出例を示す第２の検出図。
【図１１】従来の抑止線の構造を示す断面構造図。
【発明を実施するための形態】
【実施例】
【００１９】
本発明の実施の形態について、図を用いて説明する。図２は、本発明による第１の実施例を示す抑止線の構成を示す構成図である。図２ａ−１において、抑止線１０−１は、同じ外径を有する心線１１と一本の外周線１２′と５本の外周線１１とから成り、心線１１の周りに一本の外周線１２′と５本の外周線１１とが撚り合わされて構成されている。また、この一本の外周線１２′は、心線１１および他の５本の外周線１１に比べ、より高い疲労限を有している。図２ａ−２は、抑止線１０−１の長手方向の図である。
【００２０】
図２ｂ−１において、抑止線１０−２は、同じ外径を有する心線１２と６本の外周線１１とから成り、心線１２の周りに６本の外周線１１が撚り合わされて構成されている。また、この心線１２は、６本の外周線１１に比べ、より高い疲労限を有している。図２ｂ−２は、抑止線１０−２の長手方向の図である。
【００２１】
これらの抑止線１０−１、１０−２が、図１における抑止線１０に用いられた場合を説明する。従来の抑止線５０の場合と同様に、カルマン渦による振動を打ち消すように作用する新たな振動が長期間に渡り繰り返し抑止線１０−１、１０−２に発生すると、抑止線１０−１、１０−２の心線及び複数の外周線は、互いに摩擦し合うことにより疲労劣化を生じる。ところが、図２ａ−１における一本の外周線１２′は、心線１１および他の５本の外周線１１に比べより高い疲労限を有し、図２ｂ−１における心線１２は、６本の外周線１１に比べより高い疲労限を有している。
【００２２】
このため長期間に渡り繰り返し応力が発生し、図２ａ−１における心線１１および他の５本の外周線１１が破断しても、一本の外周線１２′は破断せず、図２ｂ−１における６本の外周線１１が破断しても、心線１２は破断しない。このため、重錘２０が落下するという事故が防止されると共に、抑止線の異常を定期点検時に発見することにより、新しいダブルトーショナルダンパ１００に交換できる。
【００２３】
図３は、本発明による第２の実施例を示す抑止線の構成を示す構成図である。図３ａにおいて、抑止線１０−３は、同じ外径を有する心線１３と６本の外周線１１とから成り、心線１３の周りに６本の外周線１１とが撚り合わされて構成されている。この心線１３は、複合撚線から成っている。また、図３ａ′において、心線１３は、複合撚線の弛み量を変化させることで、形状変化の大きさを調整できるよう構成されている。図３ｂにおいて、抑止線１０−４は、同じ外径を有する心線１１と一本の外周線１３′と５本の外周線１１とから成り、心線１１の周りに一本の外周線１３′と５本の外周線１１とが撚り合わされて構成されている。この一本の外周線１３′は、複合撚線から成っている。また、図３ｂ′において、一本の外周線１３′は、他の外周線１１に対し複合撚線の弛み量を変化させるよう構成されている。
【００２４】
この場合、長期間に渡り繰り返し応力が発生し、図３ａにおける６本の外周線１１が破断しても、心線１３は、複合撚線で柔軟であることから破断せず、図３ｂにおける心線１１と他の５本の外周線１１が破断しても、一本の外周線１３′は、同様に複合撚線で柔軟であることから破断しない。このため、重錘２０が落下するという事故が防止されると共に、抑止線の異常を定期点検時に発見することにより、新しいダブルトーショナルダンパ１００に交換できる。また図３ａ′、図３ｂ′にように弛みをもたせることにより、破断時の抑止線１０−３の折れ曲がり量がより多くなり、抑止線１０−３の異常の発見が容易となる。
【００２５】
図４は、本発明による第３の実施例を示す抑止線の構成を示す構成図である。図４において、抑止線１０−６は、同じ外径を有する心線１１と６本の外周線１１と、心線と外周線とで形成される各空間には、心線１１及び外周線１１に比べ疲労限が高い６本の細線１４を有し、心線１１の周りに、６本の外周線１１と６本の細線１４とが撚り合わされて構成される。
【００２６】
この場合、長期間に渡り繰り返し応力が発生し、図４における６本の外周線１１及び１本の心線１１が破断しても、６本の細線１４は、細線、且つ疲労限が高いことから破断しない。このため、重錘２０が落下するという事故が防止されると共に、抑止線の異常を定期点検時に発見することにより、新しいダブルトーショナルダンパ１００に交換できる。
【００２７】
図５は、本発明による第４の実施例を示す抑止線の構成を示す構成図である。図５において、抑止線１０−６は、図４の場合と同じ構成であるが、細線１５は、一本の細線として連続している。これにより、図４における６本の細線１４が、６本の外周線１１と心線１１とが破断するにつれて抜け落ちるという可能性を防止することができる。
【００２８】
図６は、本発明による第５の実施例を示す抑止線の構成を示す構成図である。図６ａ、ｂにおいて、抑止線１０−７は、心線１１の周りに、心線１１及び６本の外周線１１に比べ疲労限が高い細線１６が所定のピッチで巻かれ、且つ、その上に６本の外周線１１が撚り合わされて構成される。細線１６のピッチは、６本の外周線１１が撚り合わされる巻線ピッチより小さいピッチで巻かれている。
【００２９】
この場合、長期間に渡り繰り返し応力が発生し、図６における６本の外周線１１及び１本の心線１１が破断しても、細線１６は、疲労限が高いことから破断しない。また、細線１６の巻線ピッチがより密であることから細線１６の全体の長さが外周線１１より長くなるため、６本の外周線１１と心線１１とが破断したときの抑止線１０−７の折曲り角度をより大きくすることが可能となり、定期点検時における抑止線の異常の発見が容易となる。
【００３０】
図７は、本発明による第６の実施例を示す抑止線の構成を示す構成図である。図７において、抑止線１０−８は、パイプ１７と、そのパイプ１７に挿入されるパイプ内挿入線１８とから構成される心線の周りに、６本の外周線１１が巻かれて構成される。この場合、長期間に渡り繰り返し応力が発生しても、パイプ１７が外周線１１より先に破断することはなく、また外周線１１と同じタイミングで破断したとしても、パイプ内挿入線１８により重錘２０が落下するという事故が防止されると共に、抑止線の異常を定期点検時に発見することにより、新しいダブルトーショナルダンパ１００に交換できる。
【００３１】
図８は、本発明による第７の実施例を示す抑止線の構成を示す構成図である。図８ａにおいて、抑止線１０−９は、心線１１の周りに、６本の外周線１１と共に６本の疲労限の低い細線１９が巻かれて構成される。この場合、図８ｂにおいて、長期間に渡り繰り返し応力が発生すると、外周線１１の間に巻かれている疲労限の低い細線１９が最初に破断され、図のような状態に跳ね上がり、この形状変化を定期点検時に発見することにより、新しいダブルトーショナルダンパ１００に交換できる。
【００３２】
図９は、本発明による抑止線の破断検出例を示す第１の検出図である。図９ａにおいて、図１の抑止線１０が、本願発明の抑止線１０−１〜７のいずれかに置き換えられて、ダブルトーショナルダンパ１００として、架空電線４０に設置されている。この場合、左側の重錘２０は、架空電線４０に対しその下側で平行となっている抑止線１０−１〜７に対し前方向に、右側の重錘２０は抑止線１０−１〜７に対し後方向に固着されている。
【００３３】
図９ｂは、抑止線１０−１〜７の右側で破断が生じた場合、抑止線が捩れて、重錘２０が下方向に回転した状態となる場合を示している。この重錘２０の設定方向の異常を定期点検時に発見することにより、新しいダブルトーショナルダンパ１００に交換することができる。
【００３４】
図１０は、本発明による抑止線の破断検出例を示す第２の検出図であり、図１０ａは、図１０ａと同様の設置となっている。図１０ｂにおいて、抑止線１０−１〜７の右側で破断が生じた場合、抑止線は折れ曲がるが重錘２０は落下することなく下方向に垂れ下がった状態となる場合を示している。この場合、図６における抑止線１０−７が用いられていたとすると、折曲り角度αをより大きくすることが可能となり、この重錘２０の異常を定期点検時により容易に発見することが可能となり、新しいダブルトーショナルダンパ１００に交換することができる。図１０ｃは、折れ曲がり部分を拡大した拡大図である。
【００３５】
以上説明したように本発明によれば、ダブルトーショナルダンパの抑止線が重錘の落下を防止する機構を有するため、抑止線の破断による重錘の落下を防止すると共に、定期点検時に、より容易に抑止線の異常を発見し、交換することが可能なダブルトーショナルダンパを提供することができる。
【符号の説明】
【００３６】
１０  抑止線
１０−１〜７  本発明による抑止線
１１  外周線
１２  高い疲労限を有する心線
１２′  高い疲労限を有する外周線
１３  複合撚線から成る心線
１３′  複合撚線から成る外周線
１４  高い疲労限を有する細線
１５  高い疲労限を有する連続した細線
１６  所定のピッチで巻かれた疲労限が高い細線
１７  パイプ
１８  パイプ内挿入線
１９  疲労限が低い細線
２０  重錘
２５  固着部
３０  電線把持用クランプ
３５  クランプ部
３７  抑止線圧縮穴
４０  架空電線
５０  従来の抑止線
５１  心線
５２  外周線
１００  本発明によるダブルトーショナルダンパ
１１０  ダブルトーショナルダンパ
α  折曲り角度
【図１】
2012005203.tif 000003
【図２】
2012005203.tif 000004
【図３】
2012005203.tif 000005
【図４】
2012005203.tif 000006
【図５】
2012005203.tif 000007
【図６】
2012005203.tif 000008
【図７】
2012005203.tif 000009
【図８】
2012005203.tif 000010
【図９】
2012005203.tif 000011
【図１０】
2012005203.tif 000012
【図１１】
2012005203.tif 000013